(57)【特許請求の範囲】
【請求項１】
温度調整した湯水を浴槽に供給する湯水供給処理を行う風呂用湯水処理部と、
前記浴槽に湯張りする目標水位及び前記浴槽に湯張りする湯水の目標温度を設定する目標湯張り状態設定手段と、
湯張り開始を指令する湯張り指令手段と、
前記湯張り指令手段にて湯張り開始が指令されるに伴って、前記目標湯張り状態設定手段にて設定された前記目標水位及び前記目標温度に基づいて、前記風呂用湯水処理部を作動させて湯張り運転を行う運転制御手段とが設けられた風呂設備であって、
前記浴槽の湯水を排水する排水手段、前記浴槽の湯水の温度を検出する湯水温度検出手段、及び、前記浴槽の湯水の水位を検出する湯水水位検出手段が設けられ、
前記運転制御手段が、前記湯張り指令手段にて湯張り開始を指令されたときに、前記湯水水位検出手段にて排水判別用水位よりも多い湯水が検出され且つ前記湯水温度検出手段にて検出される湯水の温度が前記目標温度よりも高いときには、前記浴槽の湯水の水位が設定排水水位になるように湯水を排水すべく前記排水手段を作動させ、その後、前記浴槽の湯水の水位が前記目標水位になったときに前記浴槽の湯水の温度が前記目標温度になるように湯水の温度を調整する状態で、前記浴槽の湯水の水位が前記目標水位になるように前記浴槽に湯水を供給すべく前記風呂用湯水処理部を作動させる排水付加式の湯張り運転を実行するように構成され、
前記風呂用湯水処理部が、前記浴槽の側壁部下方側に装備された循環アダプタを通して湯水を供給するように構成され、
前記排水手段が、前記循環アダプタを通して湯水を排出するように構成され、
前記排水用判別用水位が前記目標水位であり、かつ、前記設定排水水位が、前記循環アダプタの設置高さに対応する水位であり、
前記運転制御手段が、前記排水付加式の湯張り運転において、前記湯水水位検出手段にて前記目標水位よりも多い湯水が検出され且つ前記湯水温度検出手段にて検出される湯水の温度が前記目標温度よりも高いときには、前記浴槽の湯水の水位が前記設定排水水位になるように湯水を排水すべく前記排水手段を作動させ、その後、加熱していない非加熱水を前記湯水温度検出手段にて検出される湯水の温度が前記目標温度になるまで前記浴槽に供給したのち、前記目標温度の湯水を前記浴槽の水位が前記目標水位になるまで前記浴槽に供給すべく前記風呂用湯水処理部を作動させるように構成されている風呂設備。
【請求項２】
前記風呂用湯水処理部が、前記浴槽の湯水を加熱する追焚処理を行えるように構成され、
前記運転制御手段が、前記排水付加式の湯張り運転を実行したのちにおいて、前記湯水温度検出手段にて検出される湯水の温度が前記目標温度よりも低いときには、前記浴槽の湯水を前記目標温度に加熱するように前記追焚処理を行わせるべく前記風呂用湯水処理部を作動させるように構成されている請求項１記載の風呂設備。
【発明の詳細な説明】
【技術分野】
【０００１】
本発明は、温度調整した湯水を浴槽に供給する湯水供給処理を行う風呂用湯水処理部と、
前記浴槽に湯張りする目標水位及び前記浴槽に湯張りする湯水の目標温度を設定する目標湯張り状態設定手段と、
湯張り開始を指令する湯張り指令手段と、
前記湯張り指令手段にて湯張り開始が指令されるに伴って、前記目標湯張り状態設定手段にて設定された前記目標水位及び前記目標温度に基づいて、前記風呂用湯水処理部を作動させて湯張り運転を行う運転制御手段とが設けられた風呂設備に関する。
【背景技術】
【０００２】
かかる風呂設備は、湯張り指令手段にて湯張り開始が指令されると、運転制御手段により、目標湯張り状態設定手段にて設定された目標水位及び目標温度に基づいて、風呂用湯水処理部を作動させる湯張り運転が行われるようになっている。
【０００３】
このような風呂設備の従来例として、風呂用湯水処理部が、通常の入浴用の温度よりも高温の追焚設定温度（例えば９０°Ｃ）の湯を浴槽に供給して追焚する追焚処理を行えるように構成されたものにおいて、湯張り開始を指令する湯張り指令手段として、目標湯張り状態に湯張りする湯張り運転を指令する湯張りスイッチ、及び、目標湯張り状態に維持する適温適量キープ運転を指令する適温適量キープスイッチが設けられ、更に、浴槽の湯水を排水する排水手段、浴槽の湯水の温度を検出する湯水温度検出手段及び浴槽の湯水の水位を検出する湯水水位検出手段が設けられて、運転制御手段が以下のように構成されたものがあった。
【０００４】
即ち、運転制御手段は、適温適量キープスイッチにて湯張り開始を指令されると、湯水水位検出手段の検出水位が目標水位以上で且つ湯水温度検出手段の検出温度が目標温度以上のときには、湯水の温度が目標温度になり且つ湯水の水位が目標水位になるようにするための処理を行わず、湯水温度検出手段の検出温度が目標温度よりも低いとき、及び、湯水水位検出手段の検出水位が目標水位よりも低いときには、湯水の温度が目標温度になり且つ湯水の水位が目標水位になるように風呂用湯水処理部及び排水手段夫々の作動を制御するように構成されていた。
具体的には、運転制御手段は、適温適量キープスイッチにて湯張り開始を指令されると、湯水温度検出手段の検出温度が目標温度よりも低いときには、湯水温度検出手段の検出温度が目標温度になるまで追焚設定温度の湯を浴槽に供給すべく風呂用湯水処理部を作動させ、そのように湯水温度検出手段の検出温度が目標温度になったときの湯水水位検出手段の検出水位が目標水位よりも高くなっていると、湯水検出手段の検出水位が目標水位になるまで浴槽の湯水を排水すべく排水手段を作動させ、湯水水位検出手段の検出水位が目標水位よりも低いときには、湯水検出手段の検出水位が目標水位になるまで目標温度の湯水を浴槽に供給すべく風呂用湯水処理部を作動させるように構成されていた。
又、運転制御手段は、湯張りスイッチにて湯張り開始を指令されると、湯水の温度が目標温度になり且つ湯水の水位が目標水位になるように湯水を供給すべく風呂用湯水処理部を作動させるように構成されていた（例えば、特許文献１参照。）。
そして、この特許文献１には記載されていないが、運転制御手段は、湯張りスイッチにて湯張り開始を指令されても、湯水水位検出手段の検出水位が目標水位以上で且つ湯水温度検出手段の検出温度が目標温度以上のときには、特別な処理を行わないように構成されていると考えられる。
【０００５】
又、風呂設備の別の従来例として、風呂用湯水処理部が、浴槽の湯水を加熱する追焚処理を行えるように構成されたものにおいて、湯張り開始を指令する湯張り指令手段として、目標湯張り状態に湯張りする湯張り運転及びその目標湯張り状態を維持するキープ運転を指令する自動スイッチが設けられ、更に、浴槽の湯水の温度を検出する湯水温度検出手段及び浴槽の湯水の水位を検出する湯水水位検出手段が設けられて、運転制御手段が以下のように構成されたものがあった。
【０００６】
即ち、運転制御手段は、自動スイッチがオン操作されると湯張り運転を実行し、その湯張り運転では、湯水の温度が目標温度になり且つ湯水の水位が目標水位になるように湯水を供給すべく風呂用湯水処理部を作動させ、湯張り運転の後はキープ運転を実行し、そのキープ運転では、湯水温度検出手段の検出温度が目標温度よりも低いときには、湯水の温度が目標温度になるように追焚処理を実行させるべく風呂用湯水処理部を作動させ、湯水水位検出手段の検出水位が目標水位よりも低いときには、湯水の水位が目標水位になるように目標温度の湯水を浴槽に供給すべく風呂用湯水処理部を作動させるように構成されていた（例えば、特許文献２参照。）。
そして、この特許文献２には記載されていないが、運転制御手段は、自動スイッチがオン操作されても、湯水水位検出手段の検出水位が目標水位以上で且つ湯水温度検出手段の検出温度が目標温度以上のときには、特別な処理を行わないように構成されていると考えられる。
【０００７】
【特許文献１】特開２００１−１４１２９９号公報
【特許文献２】特開２００６−１２５８０５号公報
【発明の開示】
【発明が解決しようとする課題】
【０００８】
ところで、湯水の温度が通常の入浴用の温度よりも低く且つ湯水の水位が通常の入浴用の水位よりも低い半身浴用の湯張り状態での入浴、所謂半身浴での入浴が望まれる場合がある。ちなみに、通常の入浴用の湯水の温度は、例えば４０〜４３°Ｃであり、半身浴用の湯水の温度は、例えば３５〜４０°Ｃであり、通常の入浴用の湯水の水位は、例えば、人が浴槽内に座ったときにその人の胸から肩の間の高さになるような水位であり、半身浴用の湯水の水位は、例えば、人が浴槽内に座ったときにその人の腰の高さになるような水位である。
そして、半身浴での入浴は、通常の入浴用の湯張り状態にて入浴した人の後で行われる場合もあり、そのような場合は、浴槽が既に通常の入浴用の湯張り状態にて湯張りされていることになる。
【０００９】
しかしながら、特許文献１や特許文献２の風呂設備では、湯張り指令手段にて湯張り開始を指令されたときに、浴槽に既に湯張りがされていて、湯水水位検出手段の検出水位が目標湯張り状態設定手段にて設定されている目標水位以上で且つ湯水温度検出手段の検出温度が目標湯張り状態設定手段にて設定されている目標温度以上のときには、湯水の温度が目標温度になり且つ湯水の水位が目標水位になるようにするための処理が何ら行われないものであるので、浴槽が既に通常用の湯張り状態にて湯張りされているときに、目標湯張り状態設定手段にて半身浴用の目標水位と目標温度とを設定して、湯張り指令手段にて湯張り開始を指令しても、既に湯張りされている通常の入浴用の湯張り状態が半身浴用の湯張り状態に自動的に変更調整されることがない。
【００１０】
従って、既に湯張りされている通常の湯張り状態を半身浴用の湯張り状態に変更するには、使用者が、浴槽の湯水を汲み出す又は排水栓を抜く等により、浴槽の湯水をある程度捨てた後、所望の半身浴用の温度になり且つ所望の半身浴用の水位になるように水を追加する必要があり、面倒であった。
【００１１】
又、特許文献１の適温適量キープスイッチを用いる場合は、浴槽の湯水を汲み出す又は排水栓を抜く等により、浴槽の湯水をある程度捨ててから、浴槽の湯水の温度が所望の温度よりも低くなるように水を供給した後、目標湯張り状態設定手段にて半身浴用の目標水位と目標温度とを設定する必要があり、使い勝手が悪いものであった。
又、特許文献１の湯張りスイッチや特許文献２の自動スイッチを用いる場合は、一旦、排水栓を抜いて浴槽の湯水を排水し、目標湯張り状態設定手段にて半身浴用の目標水位と目標温度とを設定した後、特許文献１の湯張りスイッチや特許文献２の自動スイッチにて湯張り開始を指令する必要があり、使い勝手が悪いものであった。
【００１２】
本発明は、かかる実情に鑑みてなされたものであり、その目的は、既に湯張りされている通常の入浴用の湯張り状態を半身浴用の湯張り状態に自動的に変更調整することができて使い勝手の良い風呂設備を提供することにある。
【課題を解決するための手段】
【００１３】
本発明の風呂設備は、温度調整した湯水を浴槽に供給する湯水供給処理を行う風呂用湯水処理部と、
前記浴槽に湯張りする目標水位及び前記浴槽に湯張りする湯水の目標温度を設定する目標湯張り状態設定手段と、
湯張り開始を指令する湯張り指令手段と、
前記湯張り指令手段にて湯張り開始が指令されるに伴って、前記目標湯張り状態設定手段にて設定された前記目標水位及び前記目標温度に基づいて、前記風呂用湯水処理部を作動させて湯張り運転を行う運転制御手段とが設けられたものであって、
第１特徴構成は、前記浴槽の湯水を排水する排水手段、前記浴槽の湯水の温度を検出する湯水温度検出手段、及び、前記浴槽の湯水の水位を検出する湯水水位検出手段が設けられ、
前記運転制御手段が、前記湯張り指令手段にて湯張り開始を指令されたときに、前記湯水水位検出手段にて排水判別用水位よりも多い湯水が検出され且つ前記湯水温度検出手段にて検出される湯水の温度が前記目標温度よりも高いときには、前記浴槽の湯水の水位が設定排水水位になるように湯水を排水すべく前記排水手段を作動させ、その後、前記浴槽の湯水の水位が前記目標水位になったときに前記浴槽の湯水の温度が前記目標温度になるように湯水の温度を調整する状態で、前記浴槽の湯水の水位が前記目標水位になるように前記浴槽に湯水を供給すべく前記風呂用湯水処理部を作動させる排水付加式の湯張り運転を実行するように構成され、
前記風呂用湯水処理部が、前記浴槽の側壁部下方側に装備された循環アダプタを通して湯水を供給するように構成され、
前記排水手段が、前記循環アダプタを通して湯水を排出するように構成され、
前記排水用判別用水位が前記目標水位であり、かつ、前記設定排水水位が、前記循環アダプタの設置高さに対応する水位であり、
前記運転制御手段が、前記排水付加式の湯張り運転において、前記湯水水位検出手段にて前記目標水位よりも多い湯水が検出され且つ前記湯水温度検出手段にて検出される湯水の温度が前記目標温度よりも高いときには、前記浴槽の湯水の水位が前記設定排水水位になるように湯水を排水すべく前記排水手段を作動させ、その後、加熱していない非加熱水を前記湯水温度検出手段にて検出される湯水の温度が前記目標温度になるまで前記浴槽に供給したのち、前記目標温度の湯水を前記浴槽の水位が前記目標水位になるまで前記浴槽に供給すべく前記風呂用湯水処理部を作動させるように構成されている点にある。
【００１４】
即ち、運転制御手段は、湯張り指令手段にて湯張り開始を指令されたときに、湯水水位検出手段にて排水判別用水位よりも多い湯水が検出され且つ湯水温度検出手段にて検出される湯水の温度が目標温度よりも高いときには、浴槽の湯水の水位が設定排水水位になるように湯水を排水すべく排水手段を作動させ、その後、浴槽の湯水の水位が目標水位になったときに浴槽の湯水の温度が目標温度になるように湯水の温度を調整する状態で、浴槽の湯水の水位が目標水位になるように浴槽に湯水を供給すべく風呂用湯水処理部を作動させる排水付加式の湯張り運転を実行する。
排水判別用水位としては、通常の入浴用の水位よりも低い水位が設定されるように構成して、浴槽が既に通常の入浴用の湯張り状態にて湯張りされているときに、目標湯張り状態設定手段にて半身浴用の目標温度及び半身浴用の目標水位を設定すると、湯水水位検出手段にて排水判別用水位よりも多い湯水が検出され、且つ、湯水温度検出手段にて目標温度よりも高い湯水の温度が検出されるようにする。
【００１５】
つまり、浴槽が既に通常の入浴用の湯張り状態にて湯張りされているときに、半身浴にて入浴するときには、目標湯張り状態設定手段にて半身浴用の目標温度及び半身浴用の目標水位を設定して、湯張り指令手段にて湯張り開始を指令すると、湯水水位検出手段にて排水判別用水位よりも多い湯水が検出され、且つ、湯水温度検出手段にて目標温度よりも高い湯水の温度が検出されることになって、運転制御手段により排水付加式の湯張り運転が実行されることになるので、既に湯張りされている通常の入浴用の湯張り状態が半身浴用の湯張り状態に自動的に変更調整されることになるのである。
【００１６】
しかも、浴槽の湯水の水位が設定排水水位になるように浴槽から湯水を排水した後に、浴槽の湯水の水位が目標水位になり且つ浴槽の湯水の温度が目標温度になるように浴槽の湯水を供給することにより、浴槽の湯水の温度が目標温度になるように浴槽に湯水を供給した後に、浴槽の湯水の水位が目標水位になるように浴槽から湯水を排水する場合に比べて、少ない湯水にて浴槽の湯水の温度を目標温度に低下させることができることになるので、浴槽からの湯水の排水量を少なくすることができ、延いては、浴槽の湯水の温度が目標温度になり且つ水位が目標水位になるように湯水を供給するための湯水の供給量を少なくすることができる。
従って、水消費量の低減を図りながら、既に湯張りされている通常の入浴用の湯張り状態を半身浴用の湯張り状態に自動的に変更調整することができて使い勝手の良い風呂設備を提供することができるようになった。
また、第１特徴構成によれば、運転制御手段は、排水付加式の湯張り運転において、加熱していない非加熱水を湯水温度検出手段にて検出される湯水の温度が目標温度になるまで浴槽に供給したのち、目標温度の湯水を浴槽の水位が目標水位になるまで浴槽に供給すべく風呂用湯水処理部を作動させる。
つまり、非加熱水の供給により、浴槽の湯水の温度を目標温度にまで下げることから、浴槽の湯水の温度を効率良く下げることができるので、浴槽からの湯水の排水量を少なくすることができるようになり、延いては、浴槽の湯水の温度が目標温度になり且つ水位が目標水位になるように湯水を供給するための湯水の供給量を少なくすることができるので、入浴のための水消費量を低減することができ、又、風呂用湯水処理部におけるエネルギ消費量を低減することができる。
しかも、非加熱水の供給により浴槽の湯水の温度を目標温度にまで下げてから、浴槽の水位が目標水位になるまで目標温度の湯水を浴槽に供給することから、浴槽の湯水を排水するときの目標となる設定排水水位を正確に設定する必要がなくて、予め設定しておけば良いので、既に湯張りされている湯水の温度等に基づいて設定排水水位を設定するための処理を省略することができることとなり、制御構成を簡略化して設備の低廉化を図ることができる。
従って、水消費量の低減及び省エネを図りながら、半身浴用の湯張り状態への湯張り状態の変更調整を自動的に行うことができるようになり、しかも、設備の低廉化を図ることができるようになった。
【００１７】
第２特徴構成は、上記第１特徴構成に加えて、
前記風呂用湯水処理部が、前記浴槽の湯水を加熱する追焚処理を行えるように構成され、
前記運転制御手段が、前記排水付加式の湯張り運転を実行したのちにおいて、前記湯水温度検出手段にて検出される湯水の温度が前記目標温度よりも低いときには、前記浴槽の湯水を前記目標温度に加熱するように前記追焚処理を行わせるべく前記風呂用湯水処理部を作動させるように構成されている点にある。
【００１８】
即ち、運転制御手段は、排水付加式の湯張り運転を実行したのちにおいて、湯水温度検出手段にて検出される湯水の温度が目標温度よりも低いときには、浴槽の湯水を目標温度に加熱するように追焚処理を行わせるべく風呂用湯水処理部を作動させる。
【００１９】
つまり、風呂用湯水処理部により、浴槽の湯水の水位が目標水位になったときに浴槽の湯水の温度が目標温度になるように湯水の温度を調整する状態で、浴槽の湯水の水位が目標水位になるように浴槽に湯水を供給するだけでは、浴槽の湯水からの放熱、湯水の供給温度のバラツキ、浴槽内の湯水の温度のバラツキ等により、浴槽の湯水の温度が精度良く目標温度にならない場合があるが、排水付加式の湯張り運転が実行されたのちにおいて、湯水の温度が目標温度よりも低いときには、追焚処理にて浴槽の湯水が目標温度になるように加熱されるので、湯水の温度が目標温度又はその目標温度に極力近い温度となる湯張り状態にて湯張りをすることができるようになった。
従って、半身浴用の湯張り状態への湯張り状態の自動変更調整を、湯水の温度が目標温度又はその目標温度に極力近い温度となる状態でより一層適切に行うことができるようになった。
【発明を実施するための最良の形態】
【００２７】
〔第１実施形態〕
以下、本発明に係る第１実施形態を図面に基づいて説明する。
図１に示すように、風呂設備は、温度調整した湯水を浴槽Ｙや給湯栓２に供給する湯水供給処理を行う風呂用湯水処理部としての熱源機Ｇと、その熱源機Ｇの運転を制御する運転制御部Ｃ（運転制御手段に相当する）と、その運転制御部Ｃに各種制御指令を指令するメインリモコンＲ１及び浴室リモコンＲ２とを備えて構成されている。ちなみに、メインリモコンＲ１は炊事場の近く等に設けられ、浴室リモコンＲ２は浴槽Ｙが設置された浴室内に設けられる。
【００２８】
以下、前記熱源機Ｇについて説明を加える。
図１に示すように、前記熱源機Ｇは、一般家庭用の水道管に接続された給水路１からの水をガス燃焼式のバーナｇ１によって加熱して、加熱後の湯水を給湯栓２や浴槽Ｙに供給するための給湯用加熱部Ａ、ガス燃焼式のバーナｇ２によって、熱消費端末Ｕに循環供給する湯水を加熱したり浴槽Ｙの湯水を追焚きするための温水循環用加熱部Ｂ等を備えて構成されている。ちなみに、熱消費端末Ｕとして、例えば、浴室暖房乾燥機、床暖房装置等が設けられる。
【００２９】
前記給湯用加熱部Ａ及び温水循環用加熱部Ｂについて説明を加える。
給湯用加熱部Ａ及び温水循環用加熱部Ｂはいずれも、主熱交換器Ｎ１と潜熱回収式の熱交換器（以下、潜熱回収熱交換器と記載する場合がある）Ｎ２とを備えて構成され、それら主熱交換器Ｎ１及び潜熱回収熱交換器Ｎ２は、バーナｇ１，ｇ２から排気路５に向かう燃焼排ガス流動方向において潜熱回収熱交換器Ｎ２が下手側に位置する状態で、その燃焼排ガス流動方向に沿って並べて設けられている。
そして、潜熱回収熱交換器Ｎ２にて、主として各バーナｇ１，ｇ２の燃焼排ガスの潜熱により湯水を加熱し、主熱交換器Ｎ１にて、主として各バーナｇ１，ｇ２の燃焼排ガスの顕熱により、前記潜熱回収熱交換器Ｎ２にて加熱された湯水を加熱するように構成されている。
【００３０】
各潜熱回収熱交換器Ｎ２からは、燃焼生成水である酸性の凝縮水、即ち、前記ドレンが生成するが、このドレンはドレンパン６によって集められて中和器７に供給され、その中和器７にて中和されたのち、ドレンタンク８に貯留されるように構成されている。この中和器７は、詳述はしないがドレンに対して中和作用する中和剤（例えば、炭酸カルシウム）が装填されている。又、前記ドレンタンク８には、そのドレンタンク８におけるドレンの貯留量が上限貯留量以上であることを検出する上限センサ８ｓが設けられている。
そして、ドレン排水ポンプ９により、ドレンタンク８に貯留されているドレンがドレン排水管４を通して送出されて、浴室の床面に設けられた排水口Ｄから排出されることになる。
【００３１】
前記給湯用加熱部Ａ及び温水循環用加熱部Ｂには、各バーナｇ１、ｇ２に一般家庭用の燃料ガスを供給するガス供給路Ｋが接続され、そのガス供給路Ｋには、燃料ガス供給量を調整する電磁式のガス比例弁１０、燃料ガスの供給を断続する断続弁１１が設けられている。又、前記給湯用加熱部Ａ及び温水循環用加熱部Ｂには、各バーナｇ１、ｇ２に燃焼用空気を供給する燃焼用ファン１２が設けられ、更に、図示を省略するが、各バーナｇ１、ｇ２の近くには、点火動作を実行する点火用のイグナイタと着火されたか否かを検出するフレームロッドが設けられている。
【００３２】
前記給水路１が前記給湯用加熱部Ａにおける潜熱回収熱交換器Ｎ２の湯水入口部に接続され、先端に前記給湯栓２が接続された給湯路３が前記給湯用加熱部Ａにおける主熱交換器Ｎ１の湯水出口部に接続されて、給水路１を通して供給される水が潜熱回収熱交換器Ｎ２及び主熱交換器Ｎ１にて加熱されて給湯路３を通して給湯栓２に供給されるように構成されている。
【００３３】
前記給水路１には、給水温度を検出する給水サ−ミスタ１３と給水量を検出する水量センサ１４とが設けられ、給水路１における給水サ−ミスタ１３及び水量センサ１４よりも下流側の箇所と前記給湯路３とが、熱交換器Ｎ１，Ｎ２を迂回するように給水バイパス路１５にて接続されている。
前記給湯路３と前記給水バイパス路１５との接続箇所には、主熱交換器Ｎ１からの湯量と給水バイパス路１５からの水量との混合比を調整するミキシング弁１７が設けられ、前記給湯路３における前記給水バイパス路１５の接続箇所よりも上流側には、主熱交換器Ｎ１から送出される湯水の温度を検出する出湯サーミスタ１６が設けられ、前記給湯路３における前記給水バイパス路１５の接続箇所よりも下流側には、上流側から順に、前記ミキシング弁１７により混合された後の湯水の温度を検出する給湯サーミスタ１８、湯水の量を調整する水比例弁１９、一般給湯の割込みを検出する割込み水量センサ２０が設けられている。
【００３４】
前記熱消費端末Ｕの湯水出口部と前記温水循環用加熱部Ｂにおける潜熱回収熱交換器Ｎ２の入口部とが温水循環用戻り路２１にて接続され、前記温水循環用加熱部Ｂにおける主熱交換器Ｎ１の湯水出口部と前記熱消費端末Ｕの湯水入口部とが温水循環用往き路２２にて接続され、温水循環用戻り路２１には、膨張タンク２３が介装され、更に、その温水循環用戻り路２１における膨張タンク２３よりも下流側の箇所には、膨張タンク２３内の湯水を吸引して温水循環用加熱部Ｂの潜熱回収熱交換器Ｎ２に送出するように温水循環用ポンプ２４が設けられている。
そして、温水循環用ポンプ２４の通流作用により、湯水が、温水循環用往き路２２及び温水循環用戻り路２１を通して潜熱回収熱交換器Ｎ２及び主熱交換器Ｎ１と熱消費端末Ｕとにわたって循環されることになり、潜熱回収熱交換器Ｎ２及び主熱交換器Ｎ１にて加熱された湯水が熱消費端末Ｕに循環供給されるように構成されている。
【００３５】
前記温水循環用往き路２２には、潜熱回収熱交換器Ｎ２及び主熱交換器Ｎ１にて加熱されたのちの湯水の温度を検出する循環温水サーミスタ２５、及び、熱消費端末Ｕへの湯水の供給を断続する端末用熱動弁２６が設けられている。
【００３６】
前記温水循環用往き路２２と温水循環用戻り路２１における膨張タンク２３よりも上流側の箇所とは、前記熱消費端末Ｕを迂回させて湯水を循環させる温水循環バイパス路２７にて接続され、そのバイパス路２７には、前記浴槽Ｙ内の湯水を追焚するための追焚用熱交換器２８と追焚用熱動弁２９とが設けられている。
この追焚用熱交換器２８の湯水出口部と浴槽Ｙの側壁部下方側に装備された循環アダプタ３０とが浴槽用往き路３１にて接続され、その循環アダプタ３０と追焚用熱交換器２８の湯水入口部とが浴槽用戻り路３２にて接続され、その浴槽用戻り路３２に、浴槽Ｙの湯水を吸引して追焚用熱交換器２８に送出するように追焚用循環ポンプ３３が設けられている。
その追焚用循環ポンプ３３の通流作用により、浴槽Ｙの湯水が浴槽用往き路３１及び浴槽用戻り路３２を通して追焚用熱交換器２８に循環供給されるように構成されている。
【００３７】
そして、端末用熱動弁２６を閉弁し且つ追焚用熱動弁２９を開弁した状態で温水循環用ポンプ２４を作動させて、潜熱回収熱交換器Ｎ２及び主熱交換器Ｎ１にて加熱された湯水を熱消費端末Ｕを迂回させる状態で追焚用熱交換器２８に循環供給し、追焚用循環ポンプ３３を作動させて、浴槽Ｙの湯水を追焚用熱交換器２８に循環供給することにより、追焚用熱交換器２８にて浴槽Ｙの湯水を加熱して、浴槽Ｙを追焚するように構成されている。
【００３８】
前記浴槽用戻り路３２には、上流側から順に、圧力を検出することによって浴槽Ｙ内の水位を検出する湯水水位検出手段としての水位センサ３４、浴槽Ｙから取り出される湯水の温度、即ち、浴槽Ｙの湯水の温度を検出する湯水温度検出手段としての浴槽戻り温サ−ミスタ３５、浴槽用戻り路３２を開閉する電磁式の風呂２方弁３６、前記追焚用循環ポンプ３３、水流スイッチ３７が設けられ、前記浴槽用往き路３１には、浴槽Ｙに供給される湯水の温度を検出する浴槽往き温サ−ミスタ３８が設けられている。
【００３９】
前記給湯路３における水比例弁１９と割込み水量センサ２０との間の箇所から、給湯路３からの湯水を浴槽Ｙに供給するための湯張り路４１が分岐されて、その湯張り路４１が、前記浴槽用戻り路３２における追焚用循環ポンプ３３と水流スイッチ３７との間の箇所に接続され、この湯張り路４１には、上流側から順に、湯張り路４１を開閉する湯張り電磁弁４２と、湯張り逆止弁４３とが設けられている。
前記湯張り路４１における湯張り電磁弁４２と湯張り逆止弁４３との間の箇所には、その湯張り路４１に連通する空気層形成用ホッパ４４が介装されている。この空気層形成用ホッパ４４には、湯水を排水する排水路４５と、その排水路４５を開閉する電磁式の排水弁４６とが設けられ、排水路４５の端部が浴槽用戻り路３２における風呂２方弁３６と追焚用循環ポンプ３３との間の箇所に接続されている。
【００４０】
更に、前記浴槽用戻り路３２における前記浴槽Ｙ側の端部付近に連通するように、浴槽水排水管９１が設けられ、その浴槽水排水管９１に、浴槽Ｙの湯水を排水する排水手段としての浴槽水排水弁９２が設けられている。
【００４１】
そして、前記湯張り電磁弁４２を開弁すると、前記給湯用加熱部Ａにて加熱されて湯張り路４１を通して供給される湯水が浴槽用戻り路３２を浴槽Ｙ側と前記追焚用熱交換器２８側の両側に通流して、湯張り路４１を通して供給される湯水が浴槽用往き路３１及び浴槽用戻り路３２の両方を通して浴槽Ｙに供給されることになる。
【００４２】
上述のように熱源機Ｇが構成されることにより、熱源機Ｇが、前記浴槽Ｙの湯水を加熱する追焚処理を行えるように構成されていることになる。
【００４３】
次に、図１に基づいて、前記熱源機Ｇから前記浴槽Ｙに温度調整した湯水を供給するための浴槽用湯水管Ｐ、及び、前記ドレン排水管４を配管する配管構造について説明する。
前記浴槽用往き路３１は、前記追焚用熱交換器２８に接続された状態で前記熱源機Ｇのケーシング３９内に設けられる浴槽往き内管３１ａと、浴槽Ｙに装備された前記循環アダプタ３０に接続された状態で前記熱源機Ｇのケーシング３９外に設けられる浴槽往き外管３１ｂとから構成され、前記浴槽用戻り路３２は、前記追焚用熱交換器２８に接続された状態で前記熱源機Ｇのケーシング３９内に設けられる浴槽戻り内管３２ａと、前記循環アダプタ３０に接続された状態で前記熱源機Ｇのケーシング３９外に設けられる浴槽戻り外管３２ｂとから構成されている。
つまり、前記浴槽往き外管３１ｂや前記浴槽戻り外管３２ｂが、前記浴槽用湯水管Ｐに相当することになる。
【００４４】
そして、前記浴槽往き外管３１ｂが、前記浴槽往き内管３１ａと前記循環アダプタ３０の往き用接続部３０ｆとに接続されている。
【００４５】
前記浴槽戻り外管３２ｂにおける熱源機側の端部に、熱源機側接続部６１と浴槽用湯水管側接続部６２とを内部通路（図示省略）にて連通させる状態で備える熱源機側継手６０が設けられ、且つ、前記浴槽戻り用外管３２ｂにおける浴槽側の端部に、浴槽側接続部７１と浴槽用湯水管側接続部７２とを内部通路（図示省略）にて連通させる状態で備える浴槽側継手７０が設けられている。
前記熱源機側継手６０における前記熱源機側接続部６１と前記浴槽用湯水管側接続部６２との間の側壁部に、前記内部通路を外部に連通するドレン排水管挿通部６４が備えられ、そのドレン排水管挿通部６４に、前記ドレン排水管４を挿通した状態で水密状に封止する封止部材６５が備えられている。
前記浴槽側継手７０における前記浴槽側接続部７１と前記浴槽用湯水管側接続部７２との間の側壁部に、前記内部通路を外部に連通するドレン排水管挿通部７４が備えられ、そのドレン排水管挿通部７４に、前記ドレン排水管４を挿通した状態で水密状に封止する封止部材７５が備えられている。
更に、前記浴槽側継手７０における前記浴槽側接続部７１と前記浴槽用湯水管側接続部７２との間の箇所に、前記内部通路に連通する浴槽水排水部７９が備えられ、その浴槽水排水部７９に、前記浴槽水排水弁９２が設けられた前記浴槽水排水管９１が接続されている。
【００４６】
そして、前記熱源機側継手６０の熱源機側接続部６１に前記浴槽戻り内管３２ａが接続され、その熱源機側継手６０の浴槽用湯水管側接続部６２に前記浴槽戻り外管３２ｂにおける熱源機側の端部が接続され、前記浴槽側継手７０の前記浴槽側接続部７１に前記循環アダプタ３０の戻り用接続部３０ｂが接続され、その浴槽側継手７０の浴槽用湯水管側接続部７２に前記浴槽戻り外管３２ｂにおける浴槽側の端部が接続されて、浴槽戻り外管３２ｂが、浴槽戻り内管３２ａと循環アダプタ３０の戻り用接続部３０ｂとに接続されている。
更に、前記ドレン排水管４が、その熱源機側の端部が前記熱源機側継手６０のドレン排水管挿通部６４から外部に突出し且つその浴槽側の端部が前記浴槽側継手７０のドレン排水管挿通部７４から外部に突出する状態で、前記浴槽戻り外管３２ｂ内に位置するように設けられている。
【００４７】
以下、前記運転制御部Ｃの制御動作について説明する。
この運転制御部Ｃは、前記メインリモコンＲ１及び前記浴室リモコンＲ２夫々と通信可能に構成されている。
図１に示すように、メインリモコンＲ１及び浴室リモコンＲ２（但し、メインリモコンＲ１についてのみ図示）には、運転の開始と停止を指令する運転スイッチ８１、風呂自動運転を指令する風呂自動スイッチ８２、一般給湯温度を設定する給湯温度設定スイッチ８３、浴槽Ｙ内の湯水の目標温度を設定する浴槽温度設定スイッチ８４、浴槽Ｙ内の湯水の目標水位を設定する水位設定スイッチ８５、浴槽に追加で湯張り給湯する足し湯スイッチ８６、追焚運転を指令する追焚スイッチ８７、浴槽Ｙに半身浴用の湯張りを行うことを指令する半身浴スイッチ８９、設定温度等の各種情報を表示する表示部８８、湯張りが終了したことを報知するスピーカ等の報知装置９０等が設けられている。つまり、浴槽温度設定スイッチ８４及び水位設定スイッチ８５により、浴槽Ｙに湯張りする目標水位及び浴槽Ｙに湯張りする湯水の目標温度を設定する目標湯張り状態設定手段が構成されることになる。
尚、以下の説明では、前記浴槽温度設定スイッチ８４にて設定された湯水の目標温度を、通常用目標温度と記載し、前記水位設定スイッチ８５にて設定された湯水の目標水位を通常用目標水位と記載する場合がある。
【００４８】
前記運転制御部Ｃには、通常の入浴用の湯水の水位よりも低い水位（例えば、浴槽Ｙの底面から３０ｃｍの高さ）に設定された半身浴用目標水位、及び、通常の入浴用の湯水の温度よりも低い温度（例えば、３８°Ｃ）に設定された半身浴用目標温度が予め記憶されている。
【００４９】
前記運転制御部Ｃは、運転スイッチ８１が操作されると制御可能な状態になり、給湯栓２が開操作されると給湯栓２から湯水を給湯する一般給湯運転を実行する。又、運転制御部Ｃは、風呂自動スイッチ８２がオン操作されると、浴槽Ｙの湯水の温度が通常用目標温度になり且つ浴槽Ｙの湯水の水位が通常用目標水位になるように湯張りする通常用湯張り運転を実行し、その風呂自動スイッチ８２がオン操作された時点からオフ操作されるまでの間は設定時間（例えば、１０分）毎に、浴槽Ｙの湯水の温度が通常用目標温度になり且つ浴槽Ｙの湯水の水位が通常用目標水位になる湯張り状態を維持するようにキープ用湯張り運転を実行し、足し湯スイッチ８６が操作されると足し湯運転を実行し、追焚スイッチ８７が操作されると追焚運転を実行し、半身浴スイッチ８９がオン操作されると、浴槽Ｙの湯水の温度が半身浴用目標温度になり且つ浴槽Ｙの湯水の水位が半身浴用目標水位になるように湯張りする半身浴用湯張り運転を実行し、前記上限センサ８ｓによりドレンタンク８のドレン貯留量が上限貯留量以上であることが検出されると、ドレン排水運転を実行するように構成されている。
【００５０】
つまり、風呂自動スイッチ８２や半身浴スイッチ８９が、湯張り開始を指令する湯張り指令手段として機能する。
又、半身浴スイッチ８９がオン操作されることにより、浴槽Ｙに湯張りする目標水位として半身浴用目標水位が設定され、浴槽Ｙに湯張りする湯水の目標温度として半身浴用目標温度が設定されるので、半身浴スイッチ８９は、浴槽Ｙに湯張りする目標水位及び浴槽Ｙに湯張りする湯水の目標温度を設定する目標湯張り状態設定手段としても機能する。
【００５１】
浴槽Ｙの湯水の水位が前記循環アダプタ３０の戻り用接続部３０ｂにおける湯水吸込口の設置高さに対応する水位（以下、循環アダプタ吸込口水位と記載する場合がある）以上の場合は、前記追焚用循環ポンプ３３を作動させると浴槽用戻り路３２及び浴槽往き路３１を通して浴槽Ｙの湯水が通流して、前記水流スイッチ３７がオンとなり、浴槽Ｙの湯水の水位が循環アダプタ吸込口水位よりも低い場合は、追焚用循環ポンプ３３を作動させても浴槽用戻り路３２を通して浴槽Ｙの湯水が通流しないことから、前記水流スイッチ３７がオフとなるので、追焚用循環ポンプ３３を作動させる状態で、前記水流スイッチ３７がオンからオフになるとき、及び、前記水流スイッチ３７がオフからオンになるときは、浴槽Ｙの湯水の水位が循環アダプタ吸込口水位であることになる。
つまり、水流スイッチ３７により、浴槽Ｙの湯水の水位が循環アダプタ吸込口水位よりも高いか、循環アダプタ吸込口水位か、循環アダプタ吸込口水位よりも低いかを検出することができ、この水流スイッチ３７も湯水水位検出手段として機能させるように構成されている。
ちなみに、前記水位センサ３４は、浴槽Ｙの湯水の水位が循環アダプタ吸込口水位以上の場合は、水位の検出が可能であり、浴槽Ｙの湯水の水位が循環アダプタ吸込口水位よりも低い場合は、水位の検出が不可能である。
【００５２】
以下、前記一般給湯運転、前記通常用湯張り運転、前記キープ用湯張り運転、前記足し湯運転、前記追焚運転、前記半身浴用湯張り運転、及び、前記ドレン排水運転の各運転について説明を加える。
【００５３】
前記一般給湯運転では、給湯栓２が開かれて水量センサ１４による検出水量が所定量以上になると、給湯用加熱部Ａにおける燃焼用ファン１２を駆動した後、断続弁１１を開弁してイグナイタによりバーナｇ１に点火し、給湯温度設定スイッチ８３による設定温度、水量センサ１４の検出水量、給水サ−ミスタ１３の検出水温及び給湯サーミスタ１８の検出温度などに基づいて、給湯サーミスタ１８の検出温度が給湯温度設定スイッチ８３による設定温度になるようにガス比例弁１０の開度及びミキシング弁１７の開度を調節する。水量センサ１４により通水が検出されなくなると、断続弁１１を閉弁してバーナｇ１の燃焼を停止し、燃焼用ファン１２も停止して一般給湯運転を終了する。
【００５４】
前記通常用湯張り運転、前記キープ用湯張り運転及び前記足し湯運転においては、前記給水路１からの水を前記熱源機Ｇにより通常用目標温度になるように加熱して浴槽Ｙに供給する通常用の注湯処理を行い、前記半身浴用湯張り運転においては、前記浴槽水排水弁９２を開弁して浴槽Ｙの湯水を排水する排水処理、熱源機Ｇにより給水路１からの水をバーナｇ１により加熱しない状態で浴槽Ｙに供給する注水処理、あるいは、給水路１からの水を熱源機Ｇにより半身浴用目標温度になるように加熱して浴槽Ｙに供給する半身浴用の注湯処理を行うことになる。
そして、浴槽Ｙの湯水の排水や浴槽Ｙへの湯水の供給は、水位センサ３４、浴槽戻り温サ−ミスタ３５及び水流スイッチ３７を設けた浴槽用戻り路３２を用いて行うので、排水処理、注水処理及び注湯処理の夫々を、水位センサ３４にて浴槽Ｙの湯水の水位を検出しながら、浴槽戻り温サ−ミスタ３５にて浴槽Ｙの湯水の温度を検出しながら、あるいは、水流スイッチ３７により浴槽Ｙの湯水の水位を検出しながら実行することができないことになる。
そこで、運転制御部Ｃは、以下のように、判定処理を実行することにより、水流スイッチ３７や浴槽戻り温サ−ミスタ３５や水位センサ３４の検出情報を読み込みながら、排水処理、注水処理、並びに、通常用及び半身浴用の各注湯処理の夫々を断続的に行うように構成されている。
【００５５】
即ち、運転制御部Ｃは、前記判定処理では、循環判定用設定時間の間、前記浴槽水排水弁９２を閉弁した状態で追焚用循環ポンプ３３を作動させて、その追焚用循環ポンプ３３の作動中において、水流スイッチ３７や浴槽戻り温サ−ミスタ３５の検出情報の読み込みを行い、追焚用循環ポンプ３３を停止させた後、待機用設定時間が経過すると、水位センサ３４の検出情報の読み込みを行うように構成されている。ちなみに、前記循環判定用設定時間は、例えば、浴槽Ｙの湯水を浴槽用往き路３１及び浴槽用戻り路３２を通して１周させるのに要する時間又はそれに近い時間に設定され、前記待機用設定時間は、追焚用循環ポンプ３３を停止させてから、浴槽用往き路３１及び浴槽用戻り路３２における湯水の流動が停止するまでに要する時間に設定される。
【００５６】
そして、運転制御部Ｃは、前記排水処理では、浴槽水排水弁９２を開弁し、排水用設定時間が経過すると、浴槽水排水弁９２を閉弁するように構成されている。ちなみに、前記排水用設定時間は、例えば、浴槽Ｙの水位を１ｃｍ程度低下させるのに要する時間に設定される。
運転制御部Ｃは、前記注水処理では、バーナｇ１を燃焼させない状態で湯張り電磁弁４２を開弁し、注水用設定時間が経過すると、湯張り電磁弁４２を閉弁するように構成されている。この注水処理では、給水路１からの水が加熱されることなく湯張り路４１から浴槽用往き路３１及び浴槽用戻り路３２の両方を通して浴槽Ｙに供給されることになる。
運転制御部Ｃは、通常用の注湯処理では、湯張り電磁弁４２を開弁し、且つ、上述の一般給湯運転と同様にバーナｇ１に点火し、前記通常用目標温度、水量センサ１４の検出水量、給水サ−ミスタ１３の検出水温及び給湯サーミスタ１８の検出温度などに基づいて、給湯サーミスタ１８の検出温度が前記通常用目標温度になるようにガス比例弁１０の開度及びミキシング弁１７の開度を調節し、注湯用設定時間が経過すると湯張り電磁弁４２を閉弁し、且つ、上述の一般給湯運転と同様にバーナｇ１の燃焼を停止するように構成されている。
又、運転制御部Ｃは、半身浴用の注湯処理では、湯張り電磁弁４２を開弁し、且つ、上述の一般給湯運転と同様にバーナｇ１に点火し、前記半身浴用目標温度、水量センサ１４の検出水量、給水サ−ミスタ１３の検出水温及び給湯サーミスタ１８の検出温度などに基づいて、給湯サーミスタ１８の検出温度が前記半身浴用目標温度になるようにガス比例弁１０の開度及びミキシング弁１７の開度を調節し、注湯用設定時間が経過すると湯張り電磁弁４２を閉弁し、且つ、上述の一般給湯運転と同様にバーナｇ１の燃焼を停止するように構成されている。
ちなみに、前記注水用設定時間や前記注湯用設定時間は、例えば、浴槽Ｙの水位を１ｃｍ程度上昇させるのに要する時間に設定される。
【００５７】
又、運転制御部Ｃは、前記通常用湯張り運転、前記キープ用湯張り運転、前記足し湯運転、前記追焚運転、前記半身浴用湯張り運転夫々を実行する前に、前記判定処理を実行して、水流スイッチ３７のオンオフ情報又は水位センサ３４の検出水位に基づく浴槽Ｙの湯水の水位の確定や、浴槽戻り温サ−ミスタ３５の検出温度に基づく浴槽Ｙの湯水の温度の確定を行うように構成されている。
【００５８】
前記運転制御部Ｃは、前記風呂自動スイッチ８２がオン操作されると、前記判定処理にて確定した浴槽Ｙの湯水の水位が通常用目標水位よりも低いときに、通常用湯張り運転を実行するように構成されている。
その通常用湯張り運転では、前記通常用の注湯処理と前記判定処理を順に実行する処理を水位センサ３４の検出水位が通常用目標水位以上になるまで繰り返し、水位センサ３４の検出水位が通常用目標水位以上になると通常用湯張り運転を終了する。
又、前記運転制御部Ｃは、前記通常用湯張り運転を終了した時点で、浴槽戻り温サ−ミスタ３５の検出温度が通常用目標温度よりも低いときは、浴槽戻り温サ−ミスタ３５の検出温度が通常用目標温度以上になるまで追焚処理を実行する。この追焚処理では、端末用熱動弁２６を閉弁し且つ追焚用熱動弁２９を開弁した状態で温水循環用ポンプ２４及び追焚用循環ポンプ３３を作動させて、浴槽Ｙ内の湯水を浴槽用戻り路３２及び浴槽用往き路３１を通して循環させ、温水循環用加熱部Ｂにおける燃焼用ファン１２を駆動した後、断続弁１１を開弁してイグナイタによりバーナｇ２に点火し、浴槽往き温サーミスタ３８の検出温度が追焚用設定出湯温度（例えば６０°Ｃ）になるようにガス比例弁１０の開度を調節し、浴槽戻り温サ−ミスタ３５の検出温度が通常用目標温度以上になると、断続弁１１を閉弁させてバーナｇ２の燃焼を停止させ、燃焼用ファン１２を停止させて追焚処理を終了する。
【００５９】
そして、運転制御部Ｃは、通常用湯張り運転を終了したときに浴槽戻り温サ−ミスタ３５の検出温度が通常用目標温度以上の場合は、通常用湯張り運転を終了した時点で、報知装置９０を作動させて湯張りの終了を報知し、通常用湯張り運転を終了したときに浴槽戻り温サ−ミスタ３５の検出温度が通常用目標温度よりも低くて追焚処理を実行した場合は、その追焚処理を終了した時点で、報知装置９０を作動させて湯張りの終了を報知するように構成されている。
【００６０】
前記運転制御部Ｃは、前記風呂自動スイッチ８２がオン状態になっている間は、設定時間が経過する毎に、前記判定処理にて確定した浴槽Ｙの湯水の温度及び浴槽Ｙの湯水の水位並びに前記浴槽温度設定スイッチ８４にて設定された通常用目標温度及び前記水位設定スイッチにて設定された通常用目標水位に基づいて、以下のように前記キープ用湯張り運転を実行する。
即ち、浴槽Ｙの湯水の水位が通常用目標水位よりも低いときは、浴槽Ｙの湯水の温度に拘わらず、前記通常用の注湯処理と前記判定処理を順に実行する処理を水位センサ３４の検出水位が通常用目標水位以上になるまで繰り返し、検出水位が通常用目標水位以上になったときの浴槽戻り温サ−ミスタ３５の検出温度が通常用目標温度よりも低い場合は、浴槽戻り温サ−ミスタ３５の検出温度が通常用目標温度以上になるまで追焚処理を実行し、浴槽Ｙの湯水の水位が通常用目標水位以上で且つ浴槽Ｙの湯水の温度が通常用目標温度よりも低いときは、浴槽戻り温サ−ミスタ３５の検出温度が通常用目標温度以上になるまで追焚処理を実行し、浴槽Ｙの湯水の水位が通常用目標水位以上で且つ浴槽Ｙの湯水の温度が通常用目標温度以上のときは、熱源機Ｇを作動させずに待機する。
【００６１】
運転制御部Ｃは、足し湯スイッチ８６が操作されると前記判定処理を実行して、その判定処理にて浴槽Ｙの湯水の水位が通常用目標水位よりも低いと確定すると、足し湯運転を実行し、その足し湯運転では、前記通常用の注湯処理と前記判定処理を順に実行する処理を水位センサ３４の検出水位が通常用目標水位以上になるまで繰り返すように構成されている。
運転制御部Ｃは、追焚スイッチ８７が操作されると前記判定処理を実行して、その判定処理にて浴槽Ｙの湯水の温度が通常目標温度よりも低いと確定すると、追焚運転を実行し、その追焚運転では、浴槽戻り温サ−ミスタ３５の検出温度が通常用目標温度以上になるまで前記追焚処理を実行するように構成されている。
運転制御部Ｃは、前記ドレン排水運転では、ドレン排水用設定時間の間、前記ドレン排水ポンプ９を作動させる。このドレン排水運転が実行されると、前記ドレンタンク８内のドレンが前記ドレン排水管４を通して浴室の排水口Ｄにまで導かれて、その排水口Ｄから排出されることになる。ちなみに、前記ドレン排水用設定時間は、例えば、前記ドレンタンク８における前記上限貯留量の９０％程度の量のドレンを排出することができる時間に設定される。
【００６２】
前記運転制御部Ｃは、前記半身浴スイッチ８９がオン操作されると、前記判定処理にて確定した浴槽Ｙの湯水の温度Ｔｍ及び浴槽Ｙの湯水の水位Ｌｍ並びに記憶している半身浴用目標温度Ｔｗ及び半身浴用目標水位Ｌｗに基づいて、図２に示すように、Ａ〜Ｈの各モードでの半身浴用湯張り運転を実行するように構成されている。
以下、Ａ〜Ｈの各モードでの半身浴用湯張り運転について説明する。
【００６３】
浴槽Ｙの湯水の水位Ｌｍが半身浴用目標水位Ｌｗよりも高く且つ浴槽Ｙの湯水の温度Ｔｍが半身浴用目標温度Ｔｗよりも高いときには、Ａモードでの半身浴用湯張り運転を実行する。
このＡモードでの半身浴用湯張り運転では、前記排水処理と前記判定処理を順に実行する処理を水流スイッチ３７がオフになるまで繰り返すことにより、浴槽Ｙの湯水の水位が循環アダプタ吸込口水位になるように浴槽Ｙの湯水を排水し、続いて、前記注水処理と前記判定処理を順に実行する処理を浴槽戻り温サ−ミスタ３５の検出温度が半身浴用目標温度Ｔｗ以下になるまで繰り返すことにより、浴槽Ｙの湯水の温度が半身浴用目標温度Ｔｗになるように給水路１からの水を加熱しない状態で浴槽Ｙに供給し、続いて、前記半身浴用の注湯処理と前記判定処理を順に実行する処理を水位センサ３４の検出水位が半身浴用目標水位Ｌｗ以上になるまで繰り返すことにより、浴槽Ｙの湯水の水位が半身浴用目標水位Ｌｗになるように半身浴用目標温度Ｔｗの湯水を浴槽Ｙに供給し、水位センサ３４の検出水位が半身浴用目標水位Ｌｗ以上になると、Ａモードでの半身浴用湯張り運転を終了する。
【００６４】
浴槽Ｙの湯水の水位Ｌｍが半身浴目標水位Ｌｗであり且つ浴槽Ｙの湯水の温度Ｔｍが半身浴用目標温度Ｔｗよりも高いときも、上述のＡモードでの半身浴用湯張り運転を実行する。
【００６５】
浴槽Ｙの湯水の水位Ｌｍが循環アダプタ吸込口水位Ｌａ以上でありかつ半身浴用目標水位Ｌｗよりも低く且つ浴槽Ｙの湯水の温度Ｔｍが半身浴用目標温度Ｔｗよりも高いときは、Ｂモードでの半身浴用湯張り運転を実行する。
このＢモードでの半身浴用湯張り運転では、前記注水処理と前記判定処理を順に実行する処理を浴槽戻り温サ−ミスタ３５の検出温度が半身浴用目標温度Ｔｗ以下になるまで繰り返し、以降、浴槽戻り温サ−ミスタ３５の検出温度が半身浴用目標温度Ｔｗ以下になったときの浴槽Ｙの湯水の水位Ｌｍに応じて、以下の制御を実行する。
即ち、浴槽Ｙの湯水の水位Ｌｍが半身浴用目標水位Ｌｗよりも低い場合は、前記半身浴用の注湯処理と前記判定処理を順に実行する処理を水位センサ３４の検出水位が半身浴用目標水位Ｌｗ以上になるまで繰り返し、水位センサ３４の検出水位が半身浴用目標水位Ｌｗ以上になると、Ｂモードでの半身浴用湯張り運転を終了し、浴槽Ｙの湯水の水位Ｌｍが半身浴用目標水位Ｌｗの場合は、そのままＢモードでの半身浴用湯張り運転を終了し、浴槽Ｙの湯水の水位Ｌｍが半身浴用目標水位Ｌｗよりも高い場合は、前記排水処理と前記判定処理を順に実行する処理を水位センサ３４の検出水位が半身浴用目標水位Ｌｗ以下になるまで繰り返し、水位センサ３４の検出水位が半身浴用目標水位Ｌｗ以下になると、Ｂモードでの半身浴用湯張り運転を終了する。
【００６６】
浴槽Ｙの湯水の水位Ｌｍが半身浴用目標水位Ｌｗよりも高く且つ浴槽Ｙの湯水の温度Ｔｍが半身浴用目標温度Ｔｗのときは、Ｃモードでの半身浴用湯張り運転を実行する。
このＣモードでの半身浴用湯張り運転では、前記排水処理と前記判定処理を順に実行する処理を水位センサ３４の検出水位が半身浴用目標水位Ｌｗ以下になるまで繰り返し、水位センサ３４の検出水位が半身浴用目標水位Ｌｗ以下になると、Ｃモードでの半身浴用湯張り運転を終了する。
【００６７】
浴槽Ｙの湯水の水位Ｌｍが半身浴用目標水位Ｌｗであり且つ浴槽Ｙの湯水の温度Ｔｍが半身浴用目標温度Ｔｗであるときは、熱源機Ｇを作動させず且つ浴槽水排水弁９２の閉弁状態を維持して、待機する。
【００６８】
浴槽Ｙの湯水の水位Ｌｍが循環アダプタ吸込口水位Ｌａ以上でありかつ半身浴用目標水位Ｌｗよりも低く且つ浴槽Ｙの湯水の温度Ｔｍが半身浴用目標温度Ｔｗのときは、Ｄモードでの半身浴用湯張り運転を実行する。
このＤモードでの半身浴用湯張り運転では、前記半身浴用の注湯処理と前記判定処理を順に実行する処理を、水位センサ３４の検出水位が半身浴用目標水位Ｌｗ以上になるまで繰り返し、水位センサ３４の検出水位が半身浴用目標水位Ｌｗ以上になると、Ｄモードでの半身浴用湯張り運転を終了する。
【００６９】
浴槽Ｙの湯水の水位Ｌｍが半身浴用目標水位Ｌｗよりも高く且つ浴槽Ｙの湯水の温度Ｔｍが半身浴用目標温度Ｔｗよりも低いときは、Ｅモードでの半身浴用湯張り運転を実行する。
そのＥモードでの半身浴用湯張り運転では、前記排水処理と前記判定処理を順に実行する処理を水位センサ３４の検出水位が半身浴用目標水位Ｌｗ以下になるまで繰り返し、続いて、浴槽戻り温サ−ミスタ３５の検出温度が半身浴用目標温度Ｔｗ以上になるまで追焚処理を実行して、浴槽戻り温サ−ミスタ３５の検出温度が半身浴用目標温度Ｔｗ以上になると、Ｅモードでの半身浴用湯張り運転を終了する。
【００７０】
浴槽Ｙの湯水の水位Ｌｍが半身浴用目標水位Ｌｗであり且つ浴槽Ｙの湯水の温度Ｔｍが半身浴用目標温度Ｔｗよりも低いときは、Ｆモードでの半身浴用湯張り運転を実行する。
そのＦモードでの半身浴用湯張り運転では、浴槽戻り温サ−ミスタ３５の検出温度が半身浴用目標温度Ｔｗ以上になるまで追焚処理を実行して、浴槽戻り温サ−ミスタ３５の検出温度が半身浴用目標温度Ｔｗ以上になると、Ｆモードでの半身浴用湯張り運転を終了する。
【００７１】
浴槽Ｙの湯水の水位Ｌｍが循環アダプタ吸込口水位Ｌａ以上でありかつ半身浴用目標水位Ｌｗよりも低く且つ浴槽Ｙの湯水の温度Ｔｍが半身浴用目標温度Ｔｗよりも低いときは、Ｇモードでの半身浴用湯張り運転を実行する。
このＧモードでの半身浴用湯張り運転では、前記半身浴用の注湯処理と前記判定処理を順に実行する処理を、水位センサ３４の検出水位が半身浴用目標水位Ｌｗ以上になるまで繰り返し、続いて、浴槽戻り温サ−ミスタ３５の検出温度が半身浴用目標温度Ｔｗ以上になるまで追焚処理を実行して、浴槽戻り温サ−ミスタ３５の検出温度が半身浴用目標温度Ｔｗ以上になると、Ｇモードでの半身浴用湯張り運転を終了する。
【００７２】
浴槽Ｙの湯水の水位Ｌｍが循環アダプタ吸込口水位Ｌａよりも低いときは、Ｈモードでの半身浴用湯張り運転を実行する。
このＨモードでの半身浴用湯張り運転では、前記半身浴用の注湯処理と前記判定処理を順に実行する処理を、前記水流スイッチ３７がオンするまで繰り返すことにより、浴槽Ｙの湯水の水位が循環アダプタ吸込口水位Ｌａになるまで半身浴用目標温度Ｔｗの湯水を浴槽Ｙに供給し、前記水流スイッチ３７がオンすると、以降は、そのときの浴槽戻り温サ−ミスタ３５の検出温度に応じて、その検出温度が半身浴用目標温度Ｔｗよりも高い場合は、前記Ｂモードでの半身浴用湯張り運転を実行し、その検出温度が半身浴用目標温度Ｔｗの場合は、前記Ｄモードでの半身浴用湯張り運転を実行し、その検出温度が半身浴用目標温度Ｔｗよりも低い場合は、前記Ｇモードでの半身浴用湯張り運転を実行して、Ｈモードでの半身浴用湯張り運転を終了する。
【００７３】
そして、運転制御部Ｃは、上述のように、Ａ〜Ｄの各モードでの半身浴用湯張り運転が終了した時点、及び、Ｂ又はＤモードでの半身浴用湯張り運転を実行するＨモードでの半身浴用湯張り運転が終了した時点で、浴槽Ｙの湯水の温度が半身浴用目標温度Ｔｗよりも低いときは、浴槽戻り温サ−ミスタ３５の検出温度が半身浴用目標温度Ｔｗ以上になるまで追焚処理を実行するように構成されている。
又、運転制御部Ｃは、半身浴スイッチ８９がオン操作されるのに伴ってＡ〜Ｈのいずれかの半身浴用湯張り運転を実行したときに、その半身浴用湯張り運転の実行後に追焚処理を実行しなかった場合はその半身浴用湯張り運転の終了時点で、又、追焚処理を実行した場合はその追焚処理の終了時点で、報知装置９０を作動させて湯張りの終了を報知するように構成されている。
【００７４】
つまり、前記Ａモードでの半身浴用湯張り運転が、浴槽Ｙの湯水の水位が前記循環アダプタ吸込口水位に設定された設定排水水位になるように湯水を排水すべく浴槽水排水弁９２を作動させ、その後、浴槽Ｙの湯水の水位が目標水位（即ち、半身浴用目標水位）になったときに浴槽Ｙの湯水の温度が目標温度（即ち、半身浴用目標温度）になるように湯水の温度を調整する状態で、浴槽Ｙの湯水の水位が目標水位（即ち、半身浴用目標水位）になるように浴槽Ｙに湯水を供給すべく前記熱源機Ｇを作動させる排水付加式の湯張り運転に相当する。
そして、運転制御部Ｃが、半身浴スイッチ８９が操作されて湯張り開始を指令されたときに、前記水位センサ３４にて排水判別用水位（即ち、半身浴用目標水位）よりも多い湯水が検出され且つ浴槽戻り温サ−ミスタ３５にて検出される湯水の温度が前記目標温度（即ち、半身浴用目標温度）よりも高いときには、前記排水付加式の湯張り運転を実行するように構成されている。
【００７５】
つまり、この第１実施形態においては、前記設定排水水位が前記循環アダプタ吸込口水位に設定され、前記排水判別用水位が前記半身浴用目標水位に設定されている。
【００７６】
又、運転制御部Ｃが、前記排水付加式の湯張り運転において、加熱していない非加熱水を浴槽戻り温サ−ミスタ３５にて検出される湯水の温度が目標温度（即ち、半身浴用目標温度）になるまで浴槽Ｙに供給したのち、目標温度（即ち、半身浴用目標温度）の湯水を浴槽Ｙの水位が目標水位（即ち、半身浴用目標水位）になるまで浴槽Ｙに供給すべく熱源機Ｇを作動させるように構成されている。
又、運転制御部Ｃが、前記排水付加式の湯張り運転を実行したのちにおいて、前記浴槽戻り温サ−ミスタ３５にて検出される湯水の温度が前記目標温度（即ち、半身浴用目標温度）よりも低いときには、前記浴槽Ｙの湯水を前記目標温度（即ち、半身浴用目標温度）に加熱するように前記追焚処理を行わせるべく前記熱源機Ｇを作動させるように構成されている。
【００７７】
上述のように風呂設備が構成されているので、既に通常の入浴用の湯張り状態で湯張りされているときに、半身浴にて入浴したいときには、半身浴スイッチ８９をオン操作すると、排水付加式の湯張り運転、即ち、Ａモードでの半身浴用湯張り運転が実行されて、浴槽Ｙの湯張り状態が、既に湯張りされている通常の入浴用の湯張り状態に比べて湯水の温度が低く且つ湯水の水位が低い半身浴用の湯張り状態に自動的に調整されることになる。
【０１０３】
〔別実施形態〕
次に別実施形態を説明する。
（イ）  上記の実施形態においては、半身浴用目標水位及び半身浴用目標温度夫々を一定の値に設定する場合について例示したが、半身浴用目標水位及び半身浴用目標温度夫々を手動操作にて変更設定する手段を設けて、半身浴用目標水位及び半身浴用目標温度夫々を使用者が変更設定可能なように構成しても良い。
【０１０４】
（ロ）  上記の第１実施形態においては、運転制御部Ｃを構成するに、半身浴スイッチ８９にて湯張り開始を指令されたときに、浴槽Ｙの湯水の水位が半身浴用目標水位よりも高く且つ浴槽Ｙの湯水の温度が半身浴用目標温度よりも高いときには、排水付加式の湯張り運転を実行するように構成したが、風呂自動スイッチ８２にて湯張り開始を指令されたときにも、浴槽Ｙの湯水の水位が水位設定スイッチ８５にて設定された目標水位よりも高く且つ浴槽Ｙの湯水の温度が浴槽温度設定スイッチ８４にて設定された目標温度よりも高いときには、排水付加式の湯張り運転を実行するように構成しても良い。
【０１０５】
（ハ）  上記の第１実施形態において、半身浴スイッチ８９を省略して、運転制御部Ｃを構成するに、風呂自動スイッチ８２にて湯張り開始を指令されたときに、浴槽Ｙの湯水の水位が水位設定スイッチ８５にて設定された目標水位よりも高く且つ浴槽Ｙの湯水の温度が浴槽温度設定スイッチ８４にて設定された目標温度よりも高いときには、排水付加式の湯張り運転を実行するように構成しても良い。
【０１０７】
（ニ）  上記の第１実施形態において、Ｈモード及びＭモードの各半身浴用湯張り運転にて水流スイッチ３７がオンするまで浴槽Ｙに供給する湯水の温度は、上記の各実施形態において例示した半身浴用目標温度に限定されるものではなく、例えば、熱源機Ｇにおける湯水の供給温度調節範囲の最低温度に設定することができる。
【０１０８】
（ホ）  風呂用湯水処理部としての熱源機Ｇの具体構成としては、上記の実施形態において例示した構成に限定されるものではない。
例えば、上記の実施形態においては、給湯用加熱部Ａ及び温水循環用加熱部Ｂを、主熱交換器Ｎ１に加えて潜熱回収熱交換器Ｎ２を備えて構成する場合について例示したが、潜熱回収熱交換器Ｎ２を省略しても良い。この場合、ドレン排水管４を省略することになるので、浴槽戻り用外管３２ｂを浴槽往き外管３１ｂと同様の構造にて熱源機Ｇと循環アダプタ３０とに接続して、電磁式の浴槽水排水弁９２が設けられた浴槽水排水管９１は、浴槽戻り用外管３２ｂに直接連通接続することになる。
【０１０９】
又、上記の実施形態においては、熱源機Ｇを、熱消費端末Ｔに循環供給する湯水を加熱する構成及び浴槽Ｙを追焚きする構成の両構成を備えるように構成する場合について例示したが、単に、浴槽Ｙの湯水を追焚きする構成のみを備えるように構成しても良い。
この場合、浴槽用戻り路３２を循環アダプタ３０の戻り用接続部３０ｂと温水循環用加熱部Ｂの潜熱回収熱交換器Ｎ２とに接続し、浴槽用往き路３１を温水循環用加熱部Ｂの主熱交換器Ｎ１と循環アダプタ３０の往き用接続部３０ｆとに接続し、湯張り路４１は、上記の実施形態と同様に、浴槽用戻り路３２に接続する。
【０１１０】
又、熱源機Ｇを構成するに、上記の実施形態において例示した如き追焚処理、即ち、浴槽Ｙの湯水を加熱する追焚処理に代えて、通常の入浴用の温度よりも高温の追焚設定温度の湯を浴槽Ｙに供給して追焚する追焚処理を行えるように構成しても良い。
【図面の簡単な説明】
【０１１１】
【図１】風呂設備の全体構成を示すブロック図
【図２】第１実施形態に係る半身浴用湯張り運転のモードを選択するための条件を示す図
【符号の説明】
【０１１２】
３４        湯水水位検出手段
３５        湯水温度検出手段
３７        湯水水位検出手段
８２        湯張り指令手段
８４，８５  目標湯張り状態設定手段
８９        目標湯張り状態設定手段、湯張り指令手段
９２        排水手段
Ｃ          運転制御手段
Ｇ          風呂用湯水処理部
Ｙ          浴槽
【図１】
0005122261.tif 000002
【図２】
0005122261.tif 000003